(57)【要約】      （修正有）【課題】地震によってシャフトと建物が異なる方向に揺れ動いても、床面や壁面間に隙間が生じることなく、床面と壁面との間にも隙間が生じることなく、安全に使用することができる目地装置を提供する。【解決手段】シャフト２の開口部の下部位置の前壁に左右方向のガイドレール６に後端部がスライド移動可能で、先端部がシャフト２の前部の目地部を覆うように床面に前後方向にだけスライド移動可能に支持された床目地プレート７と、シャフト２の両側壁および、両側壁と対向する建物の側壁の上下部位に水平方向に取付けられた４対の前後方向のガイドレール８によってそれぞれ前後方向にスライド移動可能に支持された２対の可動側壁プレート９と、２対の可動側壁プレート９の先端部に両端部が取付けられたシャフトの両側壁と、両側壁と対応する建物の側壁との間の目地部を覆う１対の伸縮可能な目地カバー装置と、一対の付勢機構１２とで目地装置を構成する。【選択図】図１
2014227753.tif 000002
【特許請求の範囲】
【請求項１】
シャフトの外周部に目地部を介して設けられた建物において、前記シャフトの開口部の下部位置の前壁に水平方向に配置された左右方向のガイドレールと、この左右方向のガイドレールに後端部がスライド移動可能で、先端部が前記シャフトの前部の目地部を覆うように床面に前後方向にだけスライド移動可能に支持された床目地プレートと、前記シャフトの両側壁および、該両側壁と対向する建物の側壁の上下部位に水平方向に取付けられた４対の前後方向のガイドレールと、この４対の前後方向のガイドレールによってそれぞれ前後方向にスライド移動可能に支持された２対の可動側壁プレートと、この２対の可動側壁プレートの先端部に両端部が取付けられた前記シャフトの両側壁と、該両側壁と対応する建物の側壁との間の目地部を覆う１対の伸縮可能あるいは１対のスライド移動可能な目地カバー装置と、この１対の伸縮可能あるいはスライド移動可能な目地カバー装置を常時後方へ付勢し、該１対の目地カバー装置の両端部あるいは一端部を常時前記シャフトの前壁あるいは前記建物の側壁の前端部に当接させる一対の付勢機構とで構成されていることを特徴とする目地装置。
【請求項２】
２対の可動側壁プレートはそれぞれ一体となって前後方向にスライド移動できるように中央部にヒンジ部材が取付けられた板状のアームが用いられ、ヒンジ部材で該可動側壁プレートに取付けられる１対の位置保持リンクが設けられていることを特徴とする請求項１記載の目地装置。
【発明の詳細な説明】
【技術分野】
【０００１】
本発明はエレベーターシャフトや階段シャフト等のシャフトの外周部に目地部を介して設けられた建物の目地装置に関する。
【背景技術】
【０００２】
従来、この種の目地装置はエレベーターシャフトの前面の床目地部を覆う床目地装置と、エレベーターシャフトの両側壁と建物の壁面との間の壁面間の目地部を覆う伸縮可能な壁面用目地装置の設置が必要となるとともに、地震でエレベーターシャフトと建物とが異なる方向に揺れ動くと、壁面用目地装置と床目地装置との間に隙間が生じるので、その対策を施さなければならず、構造に制約があり複雑で、コスト高になるという欠点があった。
【先行技術文献】
【特許文献】
【０００３】
【特許文献１】特許第３６０３０１０号公報
【特許文献２】特許第３６０３００９号公報
【発明の概要】
【発明が解決しようとする課題】
【０００４】
本発明は以上のような従来の欠点に鑑み、地震によってシャフトと建物が異なる方向に揺れ動いても、床面や壁面間に隙間が生じることなく、床面と壁面との間にも隙間が生じることなく、安全に使用することができるとともに、構造が簡単で、地震の揺れ動きを楽に吸収することができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はシャフトの外周部に目地部を介して設けられた建物において、前記シャフトの開口部の下部位置の前壁に水平方向に配置された左右方向のガイドレールと、この左右方向のガイドレールに後端部がスライド移動可能で、先端部が前記シャフトの前部の目地部を覆うように床面に前後方向にだけスライド移動可能に支持された床目地プレートと、前記シャフトの両側壁および、該両側壁と対向する建物の側壁の上下部位に水平方向に取付けられた４対の前後方向のガイドレールと、この４対の前後方向のガイドレールによってそれぞれ前後方向にスライド移動可能に支持された２対の可動側壁プレートと、この２対の可動側壁プレートの先端部に両端部が取付けられた前記シャフトの両側壁と、該両側壁と対応する建物の側壁との間の目地部を覆う１対の伸縮可能あるいは１対のスライド移動可能な目地カバー装置と、この１対の伸縮可能あるいはスライド移動可能な目地カバー装置を常時後方へ付勢し、該１対の目地カバー装置の両端部あるいは一端部を常時前記シャフトの前壁あるいは前記建物の側壁の前端部に当接させる一対の付勢機構とで目地装置を構成している。
【発明の効果】
【０００７】
以上の説明から明らかなように、本発明にあっては次に列挙する効果が得られる。
（１）請求項１により、前後方向にスライド移動する２対の可動側壁プレートの先端部に伸縮可能な１対の目地カバー装置の両端部を取付けているので、地震で揺れ動いても、２対の可動側壁プレートと１対の目地カバー装置によって、隙間が生じることなく覆うことができる。
したがって、安全に使用することができる。
（２）前記（１）によって、１対の目地カバー装置を常時後方へ付勢し、該１対の目地カバー装置の両端部あるいは一端部を常時シャフトの前壁あるいは建物の側壁に当接させる１対の付勢機構によって、１対の目地カバー装置の両端部あるいは一端部を常時壁面に当接させることができ、見苦しくなったりするのを確実に防止できるとともに、揺れ動きが停止すると、自動的に元の状態へ戻すことができる。
（３）前記（１）によって、床目地プレートは左右方向へスライド移動するが、前後方向にはシャフトと一体状態で移動するため、１対の目地カバーと床目地プレートとの間に隙間が生じることがなく、安全に使用できるとともに、床目地プレートの設置作業を楽に行なうことができる。
（４）請求項２も前記（１）〜（３）と同様な効果が得られるとともに、２対の可動側壁プレートを一体状態で前後方向に移動でき、かつ該２対の可動側壁プレート間の寸法が地震の揺れ動きに応じて変化し、損傷させたりするのを効率よく阻止することができる。
【図面の簡単な説明】
【０００８】
【図１】本発明を実施するための第１の形態の平面図。
【図２】図１の２−２線に沿う断面図。
【図３】図１の３−３線に沿う断面図。
【図４】図1の４−４線に沿う断面図。
【図５】本発明を実施するための第１の形態の伸縮可能な目地カバー装置の説明図。
【図６】本発明を実施するための第１の形態の位置保持リンクの説明図。
【図７】本発明を実施するための第１の形態の床目地プレートの目地部が狭くなった動作説明図。
【図８】本発明を実施するための第１の形態の床目地プレートの目地部が広くなった動作説明図。
【図９】本発明を実施するための第１の形態のシャフトが左右方向に揺れ動いた動作説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【図１６】本発明を実施するための第４の形態の平面図。
【図１７】図１６の１７−１７線に沿う断面図。
【図１８】図１６の１８−１８線に沿う断面図。
【発明を実施するための形態】
【０００９】
以下、図面に示す本発明を実施するための形態により、本発明を詳細に説明する。
【００１０】
図１ないし図９に示す本発明を実施するための第１の形態において、１はエレベーターシャフトや階段シャフト等のシャフト２の外周部に目地部３を介して設けられた建物４の目地装置で、この目地装置１は前記シャフト２の前壁２ａの前方の床目地部３ａを介して設けられた床躯体５の上面よりもわずかに低い位置で、両側壁２ｂ、２ｂより突出しないようにほぼ水平状態で固定された左右方向のガイドレール６と、このガイドレール６に左右方向にスライド移動可能に後端部が支持され、先端部が前記床躯体５に形成したスライド凹部５ａに前後方向にだけスライド移動可能に取付けられた前記床目地部３ａを覆う床目地プレート7と、前記シャフト２の両側壁２ｂ、２ｂおよび、該両側壁２ｂ、２ｂと対向する、前記建物4の側壁４ａ、４ａの上下部位に水平方向に取付けられた４対の前後方向のガイドレール８、８、８、８、８、８、８、８と、この４対の前後方向のガイドレール８、８、８、８、８、８、８、８によって、それぞれ前後方向にスライド移動可能に支持された板状あるいは格子状の２対の可動側壁プレート９、９、９、９と、この２対の可動側壁プレート９、９、９、９の先端部に両端部が取付けられた、前記シャフト２の両側壁２ｂ、２ｂと、該両側壁２ｂ、２ｂと対応する建物４の側壁４ａ、４ａとの間の側壁間目地部１０、１０を覆う１対の伸縮可能な目地カバー装置１１、１１と、この１対の伸縮可能な目地カバー装置１１、１１を常時後方へ付勢し、該１対の伸縮可能な目地カバー装置１１、１１の両端部あるいは一端部を、常時前記シャフト２の前壁２ａあるいは前記建物４の側壁４ａ、４ａの前端部である前壁４ｂ、４ｂに当接させる１対の付勢機構１２、１２と、前記２対の可動側壁プレート９、９、９、９をそれぞれ一体となって前後方向にスライド移動できるように取付けられた１対の位置保持リンク１３、１３とで構成されている。
【００１１】
前記１対の伸縮可能な目地カバー装置１１、１１は、図５に示すように両端部の枢支部１４、１４が前記２対の可動側壁プレート９、９、９、９の前端部の上下部位に枢支ピン１５、１５、１５、１５で枢支されたパンタグラフ形状の伸縮リンク１６、１６、１６、１６と、このパンタグラフ形状の伸縮リンク１６、１６、１６、１６の中央枢支部１７、１７、１７、１７に中央部が枢支された中央カバープレート１８、１８と、この中央カバープレート１８、１８と先端部が重なり合う端部カバープレート１９、１９、１９、１９とで構成されている。
【００１２】
前記１対の付勢機構１２、１２は一端部が２対の可動側壁プレート９、９、９、９のいずれか一方あるいは両方に取付けられ、他端部が４対の前後方向のガイドレール８、８、８、８の後端部に取付けられた付勢スプリング２０、２０で構成されている。
【００１３】
前記１対の位置保持リンク１３、１３は中央部にヒンジ部材２１が取付けられた板状のアーム部材２２、２２と、この板状のアーム部材２２、２２の両端部に取付けられた前記可動側壁プレート９、９に取付けるためのヒンジ部材２３、２３とで構成されている。
【００１４】
上記構成の目地装置１は、通常時には図１および図２に示すようにシャフト２の前方の床目地部３ａは床目地プレート７で覆われるとともに、シャフト２の両側壁２ｂ、２ｂと建物４の側壁４ａ、４ａとの間の壁面間の壁面用目地部１０、１０は１対の伸縮可能な目地カバー装置１１、１１で覆われ、シャフト２の前方のエレベーターホールや通路部分は安全に使用することができる。
【００１５】
地震でシャフト２が前方へ揺れ動いて、床目地プレート７の床目地部３ａが狭くなると、図７に示すように床目地プレート７がシャフト２によって、前方へ押し付けられて移動して、床目地プレート７と床躯体５との重なりが多くなって床目地部３ａを床目地プレート７で覆った状態を保つとともに、１対の伸縮可能な目地カバー装置１１、１１はシャフト２の前壁２ａと一体になって前方へ移動するため、建物４の側壁４ａ、４ａの可動側壁プレート９、９は前後方向のガイドレール８、８によって前方向にスライド移動し、その揺れ動きを吸収するため、壁面間目地部１０、１０は１対の伸縮可能な目地カバー装置１１、１１と、前方向へスライド移動した可動側壁プレート９、９によって覆われた状態となっている。
【００１６】
また、１対の伸縮可能な目地カバー装置１１、１１は床目地プレート７上に位置するため、床目地プレート７と１対の伸縮可能な目地カバー装置１１、１１との間の床面にも隙間が生じることがない。
【００１７】
地震でシャフト２が後方へ揺れ動いて床目地プレート７の床目地部３ａが広くなると、図８に示すように床目地プレート７がシャフト２によって後方へ引張られて移動して、床目地プレート７と床躯体５との重なりが小さくなって床目地部３ａを床目地プレート７で覆った状態を保つとともに、１対の伸縮可能な目地カバー装置１１、１１は建物４の側壁４ａ、４ａの前部と一体となって前方へ移動するため、シャフト２の両側壁２ｂ、２ｂの可動側壁プレート９、９は前後方向のガイドレール８、８によって前方向へスライド移動し、その揺れ動きを吸収するため、壁面間目地部１０、１０は１対の伸縮可能な目地カバー装置１１、１１と前方向へスライド移動した可動壁面プレート９、９によって覆われた状態となっている。
【００１８】
また、１対の伸縮可能な目地カバー装置１１、１１は床目地プレート７上に位置するため、床目地プレート７と１対の伸縮可能な目地カバー装置１１、１１との間の床面にも隙間が生じることがない。
【００１９】
地震でシャフト２が左右方向に揺れ動くと、図９に示すように床目地プレート７は先端部が前後方向にだけスライド移動可能に床躯体５に取付けられているため、後端部のガイドレール６に支持されている部分であるシャフト２とガイドレール６だけが左右方向に移動して、その揺れ動きを吸収する。
【００２０】
この時、壁面間目地部１０が狭くなる部分の伸縮可能な目地カバー装置１１は収縮し、壁面間目地部１０が広くなる部分の伸縮可能な目地カバー装置１１は伸長して、その揺れ動きを吸収する。
【００２１】
この時、収縮する伸縮可能な目地カバー装置１１と伸長する伸縮可能な目地カバー装置１１の下部には床目地プレート７が位置し、床目地プレート７と１対の伸縮可能な目地カバー装置１１、１１との間の床面にも隙間が生じることがない。
【００２２】
なお、地震での揺れ動きが停止すると、１対の付勢機構１２、１２の付勢スプリング２０、２０、２０、２０で、２対の可動壁面プレート９、９、９、９は元の位置、すなわち１対の伸縮可能な目地カバー装置１１、１１の両端部がシャフト２の前壁２ａの両端部と建物４の側壁４ａ、４ａの前端部である前壁４ｂ、４ｂと当接する位置へ自動的に戻る。
【００２３】
[発明を実施するための異なる形態]
次に、図１０ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１０ないし図１２に示す本発明を実施するための第２の形態において、前記本発明を実施するための第１の形態と主に異なる点は、一端部が一方の可動壁面プレート９、９の下部側に垂直方向に回動軸２４、２４を介して取付けられ、他端部が対向する他方の可動壁面プレート９、９の上部側に上下方向にスライド移動可能に案内するガイド部材２５、２５、２５、２５に取付けられたスライド軸２６、２６を有する板状あるいは枠状、本発明の実施の形態では枠状のアーム２７を用いた１対の位置保持リンク１３Ａ、１３Ａを用いた点で、このような１対の位置保持リンク１３Ａ、１３Ａを用いて構成した目地装置１Ａにしても、前記本発明を実施するための第１の形態と同様な作用効果が得られる。
【００２５】
図１３ないし図１５に示す本発明を実施するための第３の形態において、前記本発明を実施するための第１の形態と主に異なる点は、２対の可動側壁プレート９、９、９、９の先端上下部に一端部側が固定され、他端部側がスライド移動可能に取付けられた７カバープレート支持部材２８、２８、２８、２８と、このカバープレート支持部材２８、２８、２８、２８に取付けられたカバープレート２９、２９とからなる１対のスライド移動可能な目地カバー装置３０、３０を用いた点で、このような１対のスライド移動可能な目地カバー装置３０、３０を用いて構成した目地装置１Ｂにしても、前記本発明を実施するための第１の形態と同様な作用効果が得られる。
【００２６】
図１６ないし図１８に示す本発明を実施するための第４の形態において、前記本発明を実施するための第１の形態と主に異なる点は、４対の前後方向のガイドレール８、８、８、８、８、８、８、８をスライド移動する２対の可動側壁プレート９、９、９、９の下部にスムーズに前後方向のガイドレール８、８、８、８に沿ってスライド移動できる複数個のローラ３１、３１、３１、３１を設置するとともに、２対の可動側壁プレート９、９、９、９の先端部にシャフト２の前壁２ａと係止するストッパー３２、３２および建物４の側壁４ａ、４ａの前壁４ｂ、４ｂと係止するストッパー３３、３３を形成した点で、このように構成された目地装置１Ｃにすると、位置保持リンクを用いなくてもスムーズに２対の可動側壁プレート９、９、９、９を前後方向にスライド移動させることができ、かつ１対の目地カバー装置がシャフト２の前壁２ａや建物４の側壁４ａ、４ａの前壁４ｂ、４ｂに係止していなくても、同様な動作をさせることができる。
【００２７】
なお、前記本発明の実施の形態で前記床躯体５に形成したスライド凹部５ａを床目地プレート７が前後方向にスライド移動するものについて説明したが、本発明はこれに限らず、スライド凹部５ａを前後方向にスライド移動する床目地プレート７をスライド凹部５ａ部分をカバープレートで覆っても良い。
【産業上の利用可能性】
【００２８】
本発明はエレベーターシャフトや階段シャフト等のシャフトの外周部に目地部を介して設けられた建物の目地部を覆う目地装置を製造する産業で利用される。
【符号の説明】
【００２９】
１、１Ａ、１Ｂ、１Ｃ：目地装置、
２：シャフト、      ３：目地部、
４：建物、          ５：床躯体、  
６：ガイドレール、      ７：床目地プレート、
８：前後方向のガイドレール、  ９：可動側壁プレート、
１０：側壁間目地部、    １１：伸縮可能な目地カバー装置、
１２：付勢機構、      １３：位置保持リンク、
１４：枢支部、      １５：枢支ピン、
１６：伸縮リンク、      １７：中央枢支部、
１８：中央カバープレート、  １９：端部カバープレート、
２０：付勢スプリング、    ２１：ヒンジ部材、
２２：アーム部材、      ２３：ヒンジ部材、
２４：回動軸、      ２５：ガイド部材、
２６：スライド軸、      ２７：アーム、
２８：カバープレート支持部材、２９：カバープレート、
３０：スライド移動可能な目地カバー装置、
３１：ローラ、      ３２：ストッパー、
３３：ストッパー。
【図１】
2014227753.tif 000003
【図２】
2014227753.tif 000004
【図３】
2014227753.tif 000005
【図４】
2014227753.tif 000006
【図５】
2014227753.tif 000007
【図６】
2014227753.tif 000008
【図７】
2014227753.tif 000009
【図８】
2014227753.tif 000010
【図９】
2014227753.tif 000011
【図１０】
2014227753.tif 000012
【図１１】
2014227753.tif 000013
【図１２】
2014227753.tif 000014
【図１３】
2014227753.tif 000015
【図１４】
2014227753.tif 000016
【図１５】
2014227753.tif 000017
【図１６】
2014227753.tif 000018
【図１７】
2014227753.tif 000019
【図１８】
2014227753.tif 000020